(57)【要約】【課題】痛みを感ずることなく、足にきちんとフィットし、安定して歩行ができる外反母趾用靴を簡便に製作するための試し履き靴及び木型を提供し、さらに、それを用いて製作した外反母趾用靴を提供する。【解決手段】試し履き靴としては、親指の付け根に相当する部分に孔の設けてあることを特徴とし、木型は、この試し履き靴の孔より外部にはみ出した親指の付け根部分に型取り材を押し当てて作成した母型に、注型用樹脂を注入、硬化させて親指の付け根部分の形状を複製した注型用樹脂成型物が、試し履き靴に対応するサイズの木型の親指付け根部分に接着配置されていることを特徴とし、外反母趾用靴は、この木型に甲革を被せ、釣り込み、底付けを行って製作され、親指の付け根部分の形状が複製されていることを特徴とする。【選択図】図２
0003137943.tif 000002
【実用新案登録請求の範囲】
【請求項１】
親指の付け根に相当する部分に孔の設けてあることを特徴とする外反母趾用靴製作用試し履き靴。
【請求項２】
少なくとも甲のつま先部とかかと部が靴用皮革材料で構成され、残りの甲部分が透明プラスチック材料で構成され、親指の付け根に相当する部分に孔の設けてあることを特徴とする外反母趾用靴製作用試し履き靴。
【請求項３】
硬化性可塑材料を踏みつけ、次いで硬化させた可塑材料成型物からなる足裏の形状を写し取った中敷が、配置してあることを特徴とする請求項１もしくは請求項２に記載の外反母趾用靴製作用試し履き靴。
【請求項４】
請求項１〜３のいずれか１項に記載の試し履き靴を試着させ、親指の付け根に相当する部分に設けてある孔より外部にはみ出した親指の付け根部分に、型取り材を押し当てて作製した母型に、注型用樹脂を注入、硬化させて親指の付け根部分の形状を複製した注型用樹脂成型物が、試し履き靴に対応するサイズの標準木型の親指付け根部分に接着配置されていることを特徴とする外反母趾用靴製作用木型。
【請求項５】
型取り材が型取り用シリコーンゴムであることを特徴とする請求項４に記載の外反母趾用靴製作用木型。
【請求項６】
注型用樹脂が義歯用レジンであることを特徴とする請求項４または請求項５に記載の外反母趾用靴製作用木型。
【請求項７】
請求項４〜６のいずれか１項に記載の外反母趾用靴製作用木型に甲革を被せ、釣り込み、底付けを行って製作された、親指の付け根部分の形状が複製されていることを特徴とする外反母趾用靴。
【請求項８】
硬化性可塑材料を踏みつけることにより足裏の形状を写し取り、次いで硬化させた可塑材料成型物からなる中敷が、配置してあることを特徴とする請求項７に記載の外反母趾用靴。
【考案の詳細な説明】
【技術分野】
【０００１】
本考案は、外反母趾用靴の製作に用いられる試し履き靴及び木型、並びにこの試し履き靴および木型を用いて製作された外反母趾用靴に関するものである。
【背景技術】
【０００２】
外反母趾とは、足の親指が小指の方向に曲がり「く」の字に変形し、親指の付け根部分が腫れあがり、靴を履いた場合にはこの部分に痛みを伴う症状を示すものである。この外反母趾症状では、単に親指の付け根部分の痛みだけでなく小指の付け根部分なども痛みを生じてくることもある。さらには、痛みを和らげるために、歩行時にも無理な姿勢で歩くことになり、ひざや腰などにも負担をかけ、さらには脊椎までも影響を与え、症状が全身に及んでくる場合もある。
【０００３】
このような外反母趾に対処するための靴としては、種々の対策が講じられた靴が用いられている。例えば、幅広の靴を用いたり、親指の付け根部分に相当する靴の部分にスポンジなどの柔らかい材料を詰め込んだりすることなどが行われている。しかしながら、このような対策では足の位置が安定せず、足の他の部分が靴と接触して炎症を起こしたり、歩行が不安定になったりして十分な対策とはいえず、実用上不十分であった。
【０００４】
また、外反母趾症状となっている足の形状を精密に採寸して、そのデータに基づき木型を切削することも行われているが、熟練技術や高価な装置が必要である。さらに、実際に靴を履いた状態での、外反母趾症状を引き起こしている親指の付け根部分の形状を正確に把握することも困難であった。
【考案の開示】
【考案が解決しようとする課題】
【０００５】
本考案の課題は、外反母趾症状を起こしている場合でも、痛みを感ずることなく、足にきちんとフィットし、安定して歩行ができる外反母趾用靴を簡便な工程で製作するために必要な物品及びそれらの物品を使用して製作した外反母趾用靴を提供することである。すなわち、このような外反母趾用靴を簡便に製作するための試し履き靴及び木型を提供し、さらに、それらを使用して製作した外反母趾用靴を提供することが本考案の課題である。
【課題を解決するための手段】
【０００６】
このような課題を達成するために本考案者は、親指の付け根に相当する部分に孔の設けてあることを特徴とする外反母趾用靴製作用試し履き靴を考案した。そして、この試し履き靴は、少なくとも甲のつま先部とかかと部が靴用皮革材料で構成され、残りの甲部分が透明プラスチック材料で構成され、親指の付け根に相当する部分に孔の設けてある試し履き靴である事が好ましく、さらには硬化性可塑材料を踏みつけ、次いで硬化させた可塑材料成型物からなる足裏の形状を写し取った中敷が、配置してある試し履き靴も好ましいものである。
【０００７】
本考案の木型は、前記の試し履き靴を使用して製作される外反母趾用靴製作用木型である。すなわち、前記の親指の付け根に相当する部分に孔の設けてある外反母趾用靴製作用試し履き靴を試着させ、この孔より外部にはみ出した親指の付け根部分に型取り材を押し当てて作製した母型に、注型用樹脂を注入、硬化させて親指の付け根部分の形状を複製した注型用樹脂成型物が、試し履き靴に対応するサイズの標準木型の親指付け根部分に接着配置されていることを特徴とする外反母趾用靴製作用木型である。
【０００８】
この外反母趾用靴製作用木型の製作において用いる型取り材として、型取り用シリコーンゴムを用いて製作した木型、及び、注型用樹脂として義歯床レジンを用いて製作した木型は、正確な親指の付け根部分が複製されており、好ましい態様である。
【０００９】
本考案の外反母趾用靴は、前記した外反母趾用靴製作用木型に甲革を被せ、釣り込み、底付けを行って製作された、親指の付け根部分の形状が複製されていることを特徴とする外反母趾用靴である。
【００１０】
さらに、前記の外反母趾用靴に、硬化性可塑材料を踏みつけ、次いで硬化させた可塑材料成型物からなる足裏の形状を写し取った中敷が、配置してある外反母趾用靴も考案した。
【考案の効果】
【００１１】
本考案の外反母趾用靴製作用試し履き靴は、試着することで実際に靴を履いたのと同様な状態で、設けてある孔から親指の付け根部分をはみ出させることができ、かつ、はみ出した部分の形状を、型取り材を用い簡単かつ正確に写し取ることができる。また、この試し履き靴を使用して製作した外反母趾用靴製作用木型は複雑な足の採寸やそれに基づく木型の複雑な切削工程を行うことなく製作できるので、靴の製作工程も大幅に簡略できるものであり、外反母趾症状を起こしている親指の付け根部分の形状が、実際に靴を履いたときの状態で忠実に再現されているものである。したがって、このような外反母趾用靴製作用木型を使用して製作した本考案の外反母趾用靴は、外反母趾症状を起こしている親指の付け根部分の形状が忠実に複製されているため、親指の付け根部分に圧迫を与えることなく、その他の部分はきちんと足にフィットしているので、痛みを感ずることなく安定して歩行ができるものである。
【考案を実施するための最良の形態】
【００１２】
以下本考案の具体的な構成について、さらに図面を参照しながら説明するがこれは実施の態様の例であってこれに限定されるものではない。
【００１３】
図１は本考案の外反母趾用靴製作用試し履き靴１を示し、親指の付け根部分の形状を写し取り、複製するときに用いる。親指の付け根部分に相当する場所には孔２が設けられており、この試し履き靴１を試着したとき、この孔２より実際に靴を履いた状態での形状で、親指の付け根部分が靴の外にはみ出す。図１に示す試し履き靴１の甲は、つま先部分３とかかと部分５とは靴用皮革材料で構成され、両者の中間部分４は透明プラスチック材料で構成されている。ここで用いられる靴用皮革材料とは、実際の靴の製作に用いられる牛、馬、カンガルー、爬虫類などの動物の革による天然皮革のほか合成皮革、人工皮革などである。また透明プラスチック材料としては軟質塩化ビニール、ナイロン、ポリプロピレン、透明ゴムなどを例示することができる。
【００１４】
このようにつま先部分３とかかと部分５を靴用皮革材料で構成にすることにより、試し履きに際して、実際の靴を履いたのと同様な足の状態が再現でき、かつ中間部分４が透明材料であるため、靴の中の足の状態がよく観察でき、実際に靴を履いた状態での親指の付け根部分の形状の採取ができる。試し履き靴１の底はゴム、靴用皮革材料、プラスチック材料など通常用いられる材料で構成すればよく、特に材料は限定されない。図８はパンプスタイプの試し履き靴の例であり、同様な構成となっており、この場合はつま先部３とかかと部５に加え、履き口も革により構成されている。これらの試し履き靴のサイズとしては通常、足長は21.0cmから30.0cm、足幅はDからEEEEまでのものが準備される。
【００１５】
図２には試し履き靴１を試着した状態が示されている。試し履き靴１には親指の付け根部分に相当する場所に孔２が設けられているので、外反母趾症状を示している人がこの試し履き靴１を試着したときには、親指の付け根部分６は実際に靴を履いた状態での形状で、靴の外にはみ出す。孔２が設けられていないと、親指の付け根部分６は圧迫を受け変形したり、小指の付け根部分が圧迫を受けたりして、正確な形状を把握できない。図９にはパンプスタイプの試し履き靴を試着した状態が示されており、試し履き靴１と同様に親指の付け根部分に相当する場所に設けてある孔２より、親指の付け根部分６が靴の外にはみ出している。
【００１６】
さらに、より完全に実際に製作された靴が足にフィットした状態で、付け根部分６が靴の外にはみ出すようにするために、図３に示すように硬化性可塑材料７を踏みつけて足裏の形状を写し取り、硬化させて作製した中敷が配置されている試し履き靴１を用いることも好ましい。ここで用いられる硬化性可塑材料とは、硬化前は粘土状の性状で可塑性であるが、室温または加熱することで硬化するものであり、硬化性樹脂に無機の顔料を配合したものでパテ、樹脂粘土などとも称される。主剤と硬化剤とからなるものが多いが、主剤のみで硬化するタイプもある。硬化性樹脂としてはウレタン樹脂、シリコーンゴム、エポキシ樹脂、ポリエステル樹脂などが用いられ、これにシリカ、タルク、炭酸カルシウム、酸化チタン、硫酸カルシウムなどの無機顔料や着色顔料が配合されているものである。中敷として用いられるため、足裏の形状を写し取り、硬化させた後の成型物が可撓性ないしは弾性体であることが好ましく、ウレタン樹脂やシリコーンゴムをベースとしたものが好ましく適用される。また、実際に製作された外反母趾用靴に、ここで作成された中敷を配置することも有効なことである。
【００１７】
図４は試し履き靴１を試着し、孔から靴の外にはみ出した親指の付け根部分６に型取り材８を押し当てて、母型を製作する説明図である。試し履き靴１には必要により、前記した中敷を配置してある。型取り材８はこのように押し当てた状態で硬化させる。ここで用いられる型取り材としては、石膏などを用いることもできるが、型取り用シリコーンゴムが好ましく用いられ、特に常温硬化タイプが好ましく、透明タイプ、不透明タイプの何れも用いることができる。型取り用シリコーンゴムは離型剤も必要とせず、硬化した注型用樹脂を離型でき、型取り材として最適なものである。パンプスタイプの場合も同様にして型取り材にて母型が製作され、以下に述べる工程も同様に行われる。
【００１８】
図５は注型用樹脂成型物の製作説明図である。（ａ）に示すのは、図４において、親指の付け根部分６に押し当てて、型取り材を硬化させた母型８ａであり、ついで（ｂ）に示すように、親指の付け根部分６の形状を写し取った部分に注型用樹脂９を注入し、常温放置するか加熱して硬化させる。（ｃ）に示すのは、硬化後、母型８ａより取り出した、（ｄ）に示す親指の付け根部分６の形状を複製した注型用樹脂成型物１０である。
【００１９】
ここで用いられる注型用樹脂としては、例えば硬質ウレタン樹脂、エポキシ樹脂、ポリエステル樹脂などを用いることができるが、歯科用材料の硬化性樹脂である義歯用レジンが好ましく用いられる。この義歯用レジンには義歯床用レジンと義歯複製用レジンとがあるがいずれもアクリル系樹脂からなる粉とアクリル系モノマーからなる液とからなっており、この粉と液とを混ぜ合わせることで、ペースト状から餅状となり、次いで固体状へと硬化が進むものである。この義歯用レジンは常温硬化タイプと加熱硬化タイプとがあるが、作業性の面より前者のタイプを使用するのが好ましい。また粉と液とは通常２：１前後の比率で配合して使用するが、注入時の作業性を考慮して、ペースト状の粘度を調整したり、硬化後の硬さを調整したりするために、配合比率は適宜調整して使用できる。注型用樹脂の母型への注入はペースト状の時点で流し込んでもよいし、餅状となってから母型に押し込んでもよい。
【００２０】
図６には本考案の外反母趾用靴製作用木型の外観図であり、（ｅ）は上面からの外観図であり、（ｆ）は斜視図である。本考案の外反母趾用靴製作用木型は、前記のように試し履き靴を使用して作製した注型用樹脂成型物１０を図６に示すように、標準木型１１の親指の付け根に相当する部分に接着配置して製作される。このときの標準木型１１は先に試着した試し履き靴と同サイズ（足長、足幅）のものが使用される。注型用樹脂成型物１０の接着配置に際しては、注型用樹脂が完全硬化する前の表面が半硬化の状態で、標準木型１１に接着配置することが作業上好ましい。標準木型の材質は特に限定されず、硬質の木製やプラスチック製のものが使われる。
【００２１】
このように注型用樹脂成型物が接着配置された外反母趾用靴製作用木型は、外反母趾症状を示す人が実際に靴を履いたときの親指の付け根部分の形状が複製されていることとなる。本考案の外反母趾用靴は、この外反母趾用靴製作用木型に前記したような靴用皮革材料から製作した甲革を被せ、釣り込み、底付けを行って製作される。図７に示す本考案の外反母趾用靴１２は外反母趾症状を示している親指の付け根部分１３が正確に複製再現されている。そのため、本考案の外反母趾用靴を履いた場合には、親指の付け根部分に圧迫を与えることなく、その他の部分はきちんと足にフィットしているので、痛みを感ずることなく安定して歩行ができるものである。また、前に述べたように、硬化性可塑材料を実際に踏みつけて作製した中敷を、外反母趾用靴にも適用することは、この靴を足によりフィットさせる意味で、好ましい形態である。
【００２２】
以上のように、本考案の外反母趾用靴製作用試し履き靴はこれを使用することにより、本考案の外反母趾用靴を製作するのに最適な外反母趾用靴製作用木型が製作できる。さらにこの木型から、外反母趾症状に最適な外反母趾用靴も作成できる。
【産業上の利用可能性】
【００２３】
本考案は靴の製造業界、特に外反母趾用の注文靴製造に寄与すること大である。
【図面の簡単な説明】
【００２４】
【図１】本考案の試し履き靴の説明図である。
【図２】本考案の試し履き靴を試着したときの状態を示す説明図である。
【図３】中敷を作るために、硬化性可塑材料を踏みつけている状態を示す説明図である。
【図４】親指の付け根部分に型取り材を押し当てて、母型を製作している説明図である。
【図５】注型用樹脂成型物の製作説明図で、（ａ）は製作した母型、（ｂ）は注型用樹脂を母型に流し込んだ図、（ｃ）は硬化後母型から取り出した注型用樹脂成型物、（ｄ）は外反母趾症状となっている親指の付け根部分を示す足の部分図である。
【図６】本考案の外反母趾用靴製作用木型の説明図で、（ｅ）は上面からの外観図、（ｆ）は斜視図である。
【図７】本考案の外反母趾用靴を示す。
【図８】本考案の試し履き靴でパンプスタイプの説明図である。
【図９】本考案のパンプスタイプの試し履き靴を試着したときの状態を示す説明図である。
【符号の説明】
【００２５】
１    試し履き靴
２    孔
３    つま先部分
４    中間部分（透明部分）
５    かかと部分
６    親指の付け根部分
７    硬化性可塑材料
８    型取り材
８ａ  型取り材を硬化させた母型
９    注型用樹脂
１０  注型用樹脂成型物
１１  標準木型
１２  外反母趾用靴
１３  外反母趾用靴の親指の付け根部分
【図１】
0003137943.tif 000003
【図２】
0003137943.tif 000004
【図３】
0003137943.tif 000005
【図４】
0003137943.tif 000006
【図５】
0003137943.tif 000007
【図６】
0003137943.tif 000008
【図７】
0003137943.tif 000009
【図８】
0003137943.tif 000010
【図９】
0003137943.tif 000011